(57)【要約】【課題】発熱部で発生する熱を収容箱内に空気流と共に導いて外部に排出することができる画像形成装置を提供する。【解決手段】用紙に画像を形成する画像形成部２Ａ、及び画像形成部２Ａを駆動する駆動部を収容する第１筐体２Ｃと、第１筐体２Ｃの背面側に配置され、画像形成部２Ａの駆動によって発生する廃棄対象物を捕捉するフィルタを内部に収容するフィルタ収容箱６８とを備え、フィルタ収容箱６８は、外部空気を内部に吸い込む吸込口６８ａ、及び内部空気を外部に吐き出す吐出口６８ｂを有し、第１筐体２Ｃは、吸込口６８ａからフィルタ収容箱６８内に吸い込まれた外部空気を導入する導入口２１１Ｃ、及び駆動部で発生する熱と共に内部空気をフィルタ収容箱６８内に導出する導出口５６Ｋを含み、導入口２１１Ｃから導出口５６Ｋに向かって空気流Ｌを形成するための空気流通路５９を有する。【選択図】図３
2011107480.tif 000002
【特許請求の範囲】
【請求項１】
記録媒体に画像を形成する画像形成部、及び前記画像形成部を駆動する駆動部を含む発熱部を収容する収容空間を内部に有する装置本体と、
前記装置本体の背面側に配置され、前記画像形成部の駆動によって発生する廃棄対象物を捕捉するフィルタを内部に収容するフィルタ収容箱とを備え、
前記フィルタ収容箱は、外部空気を内部に吸い込む吸込口、及び内部空気を外部に吐き出す吐出口を有し、
前記装置本体は、前記吸込口から前記フィルタ収容箱内に吸い込まれた外部空気を導入する導入口、及び前記発熱部で発生する熱と共に内部空気を前記フィルタ収容箱内に導出する導出口を含み、前記導入口から前記導出口に向かって空気流を形成するための空気流通路を有する画像形成装置。
【請求項２】
前記装置本体は、前記導出口から前記フィルタ収容箱内に向かって送風する放熱用の送風機を備える請求項１に記載の画像形成装置。
【請求項３】
前記装置本体は、前記画像形成部において画像形成に伴い供給されたトナーのうち残留するトナーを回収するためのトナー回収経路を前記空気流通路内に有し、前記空気流の方向に送風して前記トナー回収経路を冷却する冷却用の送風機を備える請求項１又は２に記載の画像形成装置。
【請求項４】
前記導出口は、前記装置本体の最も発熱量の多い領域の背面部に設けられている請求項１又は２に記載の画像形成装置。
【発明の詳細な説明】
【技術分野】
【０００１】
本発明は、画像形成装置に関する。
【背景技術】
【０００２】
近年における画像形成装置は、多機能化，画像形成の高速化等に伴い大型化してきている。このため、画像形成装置を輸送するための車両を大型化せざるを得なくなったり、梱包するための梱包材を補強する必要が生じたりするという問題が生じることから、これら問題を解消するために例えば装置筐体を複数個に分割して形成することが行われている。
【０００３】
従来、この種の画像形成装置は、用紙に画像を形成する画像形成部を収容する第１筐体と、用紙にトナー像を定着する定着部を収容する第２筐体と、画像を読み取る画像読取部を収容する第３筐体等とによって装置筐体が形成されている（例えば特許文献１）。
【０００４】
このような画像形成装置において、画像形成部を駆動する駆動部で熱が発生すると、この熱が第１筐体の下側部から上側部に向かって形成される空気流と共に第１筐体の外部に排出される。
【先行技術文献】
【特許文献】
【０００５】
【特許文献１】特開２００７−１４７６９１号公報
【発明の概要】
【発明が解決しようとする課題】
【０００６】
本発明の目的は、発熱部で発生する熱を装置本体の背面側のフィルタ収容箱内に空気流と共に導いて外部に排出することができる画像形成装置を提供することにある。
【課題を解決するための手段】
【０００７】
本発明の一態様は、上記目的を達成するために、以下の画像形成装置を提供する。
【０００８】
［１］記録媒体に画像を形成する画像形成部、及び前記画像形成部を駆動する駆動部を含む発熱部を収容する収容空間を内部に有する装置本体と、前記装置本体の背面側に配置され、前記画像形成部の駆動によって発生する廃棄対象物を捕捉するフィルタを内部に収容するフィルタ収容箱とを備え、前記フィルタ収容箱は、外部空気を内部に吸い込む吸込口、及び内部空気を外部に吐き出す吐出口を有し、前記装置本体は、前記吸込口から前記フィルタ収容箱内に吸い込まれた外部空気を導入する導入口、及び前記発熱部で発生する熱と共に内部空気を前記フィルタ収容箱内に導出する導出口を含み、前記導入口から前記導出口に向かって空気流を形成するための空気流通路を有する画像形成装置。
【０００９】
［２］前記装置本体は、前記導出口から前記フィルタ収容箱内に向かって送風する放熱用の送風機を備える前記［１］に記載の画像形成装置。
【００１０】
［３］前記装置本体は、前記画像形成部において画像形成に伴い供給されたトナーのうち残留するトナーを回収するためのトナー回収経路を前記空気流通路内に有し、前記空気流の方向に送風して前記トナー回収経路を冷却する冷却用の送風機を備える前記［１］又は［２］に記載の画像形成装置。
【００１１】
［４］前記導出口は、前記装置本体の最も発熱量の多い領域の背面部に設けられている前記［１］又は［２］に記載の画像形成装置。
【発明の効果】
【００１２】
請求項１に記載の発明によれば、発熱部で発生する熱を装置本体の背面側のフィルタ収容箱内に空気流と共に導いて外部に排出することができる。
【００１３】
請求項２に記載の発明によれば、放熱用の送風機によって導出口からフィルタ収容箱内に向かう空気流を強制的に形成することができる。
【００１４】
請求項２又は３に記載の発明によれば、冷却用の送風機によってトナー回収経路を冷却することができるとともに、導入口から導出口に向かう空気流を強制的に形成することができる。
【００１５】
請求項４に記載の発明によれば、発生熱を効率的に外部に排気でき、装置本体の熱による不具合の発生をより確実に回避できる。
【図面の簡単な説明】
【００１６】
【図１】図１は、本発明の実施の形態に係る画像形成装置の概略の構成示す正面図である。
【図２】図２は、本発明の実施の形態に係る画像形成装置における背面部の外観を示す斜視図である。
【図３】図３は、本発明の実施の形態に係る画像形成装置の要部を説明するために示す側面図である。
【図４】図４（ａ）及び（ｂ）は、本発明の実施の形態に係る画像形成装置の装置本体内に形成される空気流通路の第１分岐路を説明するために示す背面図とそのＡ部の斜視図である。図４（ａ）は背面図を、また図４（ｂ）は斜視図をそれぞれ示す。
【図５】図５は、本発明の実施の形態に係る画像形成装置の装置本体内に形成される空気流通路の第２分岐路を説明するために示す背面図である。
【図６】図６は、本発明の実施の形態に係る画像形成装置のフィルタ収容箱を説明するために示す背面図である。
【発明を実施するための形態】
【００１７】
[実施の形態]
図１は、本発明の実施の形態に係る画像形成装置の概略の構成を示す。この画像形成装置１は、本体ユニット２，給紙ユニット３，定着ユニット４及び後述するフィルタユニット５，６（共に後述する図２に示す）を備えた例えばカラープリンタに適用され、床面ＦＬ上にキャスタＣ，Ｃ，…を介して移動可能に配置されている。そして、画像形成装置１は、パーソナルコンピュータ等の上位装置から送信された画像データに画像処理部（図示せず）で画像処理を施してイエロー（Ｙ），マゼンタ（Ｍ），シアン（Ｃ），ブラック（Ｋ），Ｘ１，Ｘ２の各色の画像データに変換した後、Ｙ，Ｍ，Ｃ，Ｋ，Ｘ１，Ｘ２の各色の画像データに基づいてカラー画像を記録媒体としての用紙Ｐに形成するように構成されている。
【００１８】
Ｘ１，Ｘ２としては、Ｙ，Ｍ，Ｃ，Ｋ色以外の色であり、例えば中間色や特殊な黒色が用いられる。記録媒体としては、用紙Ｐの他にＯＨＰ（overhead projector）シート等の樹脂シートを用いてもよい。
【００１９】
また、画像形成装置１は、フィルタユニット５，６内の空き領域を利用し、フィルタユニット５，６の吸込口から空気を本体ユニット２内に導入し、その空気を本体ユニット２の内部の発熱部から発生した熱と共にフィルタユニット５、６の吐出口から外部に吐き出すように構成されている。これについての詳細な説明は、後述する。
【００２０】
（本体ユニット２の構成）
本体ユニット２は、図１に示すように、用紙Ｐに画像を形成する画像形成部２Ａ、この画像形成部２Ａに用紙Ｐを供給する用紙供給部２Ｂ、及び用紙供給部２Ｂ，画像形成部２Ａを内部に収容する装置本体としての第１筐体２Ｃを有し、給紙ユニット３と定着ユニット４との間に介在して配置されている。
【００２１】
画像形成部２Ａは、Ｙ，Ｍ，Ｃ，Ｋ，Ｘ１，Ｘ２の各色の画像を形成する複数（実施の形態ではＹ，Ｍ，Ｃ，Ｋ，Ｘ１，Ｘ２の各色に対応して６個）の画像形成エンジンを構成し、Ｙ，Ｍ，Ｃ，Ｋ，Ｘ１，Ｘ２の各色のトナー像が形成される感光体ドラム２０Ｙ，２０Ｍ，２０Ｃ，２０Ｋ，２０Ｘ１，２０Ｘ２と、これら感光体ドラム２０Ｙ〜２０Ｘ２を帯電する帯電器２１Ｙ，２１Ｍ，２１Ｃ，２１Ｋ，２１Ｘ１，２１Ｘ２と、これら帯電器２１Ｙ〜２１Ｘ２によって帯電された感光体ドラム２０Ｙ〜２０Ｘ２を露光する露光器２２Ｙ，２２Ｍ，２２Ｃ，２２Ｋ，２２Ｘ１，２２Ｘ２と、これら露光器２２Ｙ〜２２Ｘ２によって形成された感光体ドラム２０Ｙ〜２０Ｘ２上の静電潜像をＹ，Ｍ，Ｃ，Ｋ，Ｘ１，Ｘ２の各色のトナー像で現像する現像器２３Ｙ，２３Ｍ，２３Ｃ，２３Ｋ，２３Ｘ１，２３Ｘ２とを備えている。
【００２２】
感光体ドラム２０Ｙ，２０Ｍ，２０Ｃ，２０Ｋ，２０Ｘ１，２０Ｘ２は、それぞれが表面に感光層を有し、第１筐体２Ｃ内に矢印Ｒ方向に回転可能に配置されている。
【００２３】
帯電器２１Ｙ，２１Ｍ，２１Ｃ，２１Ｋ，２１Ｘ１，２１Ｘ２は、それぞれが対応する感光体ドラム２０Ｙ，２０Ｍ，２０Ｃ，２０Ｋ，２０Ｘ１，２０Ｘ２の周囲に配置され、露光前の感光体ドラム２０Ｙ〜２０Ｘ２を帯電するように構成されている。
【００２４】
露光器２２Ｙ，２２Ｍ，２２Ｃ，２２Ｋ，２２Ｘ１，２２Ｘ２は、それぞれが対応する感光体ドラム２０Ｙ，２０Ｍ，２０Ｃ，２０Ｋ，２０Ｘ１，２０Ｘ２の上方に配置されている。そして、露光器２２Ｙ〜２２Ｘ２は、感光体ドラム２０Ｙ〜２０Ｘ２にＹ〜Ｘ２の各色の画像データに基づいて変調された露光光を照射してＹ〜Ｘ２の各色の静電潜像を形成するように構成されている。
【００２５】
現像器２３Ｙ，２３Ｍ，２３Ｃ，２３Ｋ，２３Ｘ１，２３Ｘ２は、それぞれが対応する感光体ドラム２０Ｙ，２０Ｍ，２０Ｃ，２０Ｋ，２０Ｘ１，２０Ｘ２の周囲に配置されている。
【００２６】
また、画像形成部２Ａは、感光体ドラム２０Ｙ，２０Ｍ，２０Ｃ，２０Ｋ，２０Ｘ１，２０Ｘ２の表面に接触する中間転写ベルト２４と、感光体ドラム２０Ｙ，２０Ｍ，２０Ｃ，２０Ｋ，２０Ｘ１，２０Ｘ２の表面にそれぞれ形成されたＹ，Ｍ，Ｃ，Ｋ，Ｘ１，Ｘ２の各色のトナー像を中間転写ベルト２４に一次転写する一次転写装置２５Ｙ，２５Ｍ，２５Ｃ，２５Ｋ，２５Ｘ１，２５Ｘ２と、中間転写ベルト２４を駆動する駆動ロール２６と、中間転写ベルト２４を所定の張力で回転可能に支持する支持ロール２７Ａ〜２７Ｄと、中間転写ベルト２４に転写されたトナー像を用紙Ｐに二次転写する二次転写装置２８とを備えている。
【００２７】
画像形成部２Ａの上方には、Ｙ，Ｍ，Ｃ，Ｋ，Ｘ１，Ｘ２の各色のトナーを収容するトナーボトル２９Ｙ，２９Ｍ，２９Ｃ，２９Ｋ，２９Ｘ１，２９Ｘ２が配置されている。これにより、トナーボトル２９Ｙ〜２９Ｘ２から現像器２３Ｙ〜２３Ｘ２にＹ〜Ｘ２の各色のトナーが供給される。
【００２８】
中間転写ベルト２４は、無端ベルトからなり、一次転写装置２５Ｙ，２５Ｍ，２５Ｃ，２５Ｋ，２５Ｘ１，２５Ｘ２と感光体ドラム２０Ｙ，２０Ｍ，２０Ｃ，２０Ｋ，２０Ｘ１，２０Ｘ２との間に介在して配置され、かつ駆動ロール２６及び支持ロール２７Ａ〜２７Ｄに掛け渡されている。そして、中間転写ベルト２４は、駆動ロール２６によって矢印ａ方向に循環移動するように構成されている。中間転写ベルト２４のドラム接触側には、感光体ドラム２０Ｙ，２０Ｍ，２０Ｃ，２０Ｋ，２０Ｘ１，２０Ｘ２を除電する除電装置３０Ｙ,３０Ｍ，３０Ｃ，３０Ｋ，３０Ｘ１，３０Ｘ２、及び一次転写後の感光体ドラム２０Ｙ，２０Ｍ，２０Ｃ，２０Ｋ，２０Ｘ１，２０Ｘ２に残留する残留トナーを除去するドラム清掃装置３１Ｙ，３１Ｍ，３１Ｃ，３１Ｋ，３１Ｘ１，３１Ｘ２が配置されている。このドラム清掃装置３１Ｙ〜３１Ｘ２で除去された残留トナーは、トナー回収経路６０（後述）を介して第１筐体２Ｃ外に回収される。
【００２９】
一次転写装置２５Ｙ，２５Ｍ，２５Ｃ，２５Ｋ，２５Ｘ１，２５Ｘ２は、それぞれが対応する感光体ドラム２０Ｙ，２０Ｍ，２０Ｃ，２０Ｋ，２０Ｘ１，２０Ｘ２の表面に中間転写ベルト２４を圧接する一次転写ロールからなり、中間転写ベルト２４の内側に回転可能に配置されている。そして、一次転写装置２５Ｙ〜２５Ｘ２は、感光体ドラム２０Ｙ〜２０Ｘ２のトナー像を中間転写ベルト２４に一次転写するように構成されている。
【００３０】
駆動ロール２６は、中間転写ベルト２４の内側に回転可能に配置されている。そして、駆動ロール２６は、矢印Ｑ方向への回転によって中間転写ベルト２４を矢印ａ方向に循環移動させるように構成されている。
【００３１】
支持ロール２７Ａ〜２７Ｄは、従動ロールからなり、駆動ロール２６と同様に中間転写ベルト２４の内側に回転可能に配置されている。支持ロール２７Ａ〜２７Ｄのうち支持ロール２７Ａ，２７Ｂは一次転写面形成ロールとして、支持ロール２７Ｃはテンションロールとして、また支持ロール２７Ｄは二次転写装置２８のバックアップロールとしてそれぞれ機能する。
【００３２】
二次転写装置２８は、転写ベルト装置からなり、中間転写ベルト２４の外側に配置されている。そして、二次転写装置２８は、中間転写ベルト２４上のトナー像を用紙Ｐに二次転写するように構成されている。二次転写装置２８の用紙搬送側には、用紙Ｐの搬送方向に沿って並列する搬送ユニット３２〜３４が配置されている。搬送ユニット３２〜３４のうち搬送ユニット３２，３３は本体ユニット２内における用紙Ｐを吸引しながら矢印ｂ方向に搬送する搬送ベルトコンベアとして、また搬送ユニット３４は本体ユニット２と定着ユニット４との間に跨って用紙Ｐを矢印ｂ方向に搬送する搬送ベルトコンベアとしてそれぞれ機能する。
【００３３】
用紙供給部２Ｂは、用紙Ｐを内部に収容する用紙スタッカ３５，３５と、これら用紙スタッカ３５，３５に収容された用紙Ｐを１枚ずつ捌く１対の捌きロール３６，３６とを有し、画像形成部２Ａの下方に配置されている。用紙供給部２Ｂの下流側には、画像形成のタイミングに同期して駆動される１対のレジロール３７，３７、及びこれら１対のレジロール３７，３７から二次転写装置２８に向かって用紙Ｐを矢印ｃ方向に搬送する搬送ロール３８，３８，…が配置されている。第１筐体２Ｃの詳細については後述する。
【００３４】
（給紙ユニット３の構成）
給紙ユニット３は、本体ユニット２の画像形成部２Ａに用紙Ｐを供給する用紙供給部３Ａ、及びこの用紙供給部３Ａを内部に収容する第２筐体３Ｂを有し、本体ユニット２の一方側（図１の左側）に配置されている。
【００３５】
用紙供給部３Ａは、用紙Ｐを内部に積載する給紙トレイ３９，３９、及びこれら給紙トレイ３９，３９から送出された用紙Ｐを１枚ずつ捌く１対の捌きロール４０，４０とを有している。用紙供給部３Ａの下流側には、画像形成のタイミングに同期して駆動される１対のレジロール４１，４１が配置されている。
【００３６】
第２筐体３Ｂは、用紙供給部３Ａから本体ユニット２に向かう搬送経路３０Ｂを内部に有し、床面ＦＬ上にキャスタＣ，Ｃ，…を介して移動可能に配置されている。
【００３７】
（定着ユニット４の構成）
定着ユニット４は、用紙Ｐに転写されたトナー像を加熱溶融して定着する定着部４Ａ、この定着部４Ａで定着された用紙Ｐを冷却する冷却部４Ｂ、及びこの冷却部４Ｂ，定着部４Ａを内部に収容する第３筐体４Ｃを有し、本体ユニット２の他方側（図１の右側）に配置されている。
【００３８】
定着部４Ａは、加熱ロール４２及び加圧ロール４３を有し、搬送ユニット３４と冷却部４Ｂとの間に配置されている。
【００３９】
冷却部４Ｂは、用紙を矢印ｄ方向に搬送する搬送ユニット４４，４５、及びこれら搬送ユニット４４，４５によって搬送される用紙Ｐを冷却する冷却器４６を有し、定着部４Ａの下流側に配置されている。冷却部４Ｂの下流側には、定着ユニット４内の用紙Ｐを定着ユニット４外に排出する排出ロール４７，４７が配置されている。
【００４０】
第３筐体４Ｃは、搬送ユニット３４から定着部４Ａ及び冷却部４Ｂを介して排出ロール４７，４７に至る搬送経路４０Ｃを内部に有し、床面ＦＬにキャスタＣ，Ｃ，…を介して移動可能に配置されている。
【００４１】
図２は、画像形成装置１の背面部を示す。
【００４２】
第１筐体２Ｃには、外部空気を内部に吸い込む吸込口４９（図２に示す）、及びこの吸込口４９から吸い込まれた外部空気を画像形成部２Ａの冷却後に内部空気として外部に吐き出す吐出口５０（図２に示す）が設けられている。吸込口４９は第１筐体２Ｃにおける一方側（給紙ユニット３側）の側面に、また吐出口５０は第１筐体２Ｃにおける他方側（定着ユニット側）の上面にそれぞれ開口されている。
【００４３】
フィルタユニット５は、画像形成部２Ａの駆動によって発生する回収対象物としてのトナークラウドやオゾン（Ｏ３）を回収するためのダクトや配管を収容するフィルタ収容箱６８を有し、本体ユニット２の背面側に配置されている。フィルタユニット６も同様に、画像形成部２Ａの駆動によって発生する回収対象物としてのトナークラウドやオゾン（Ｏ３）を回収するためのダクトや配管を収容するフィルタ収容箱７８を有し、フィルタユニット５の側方に並列して本体ユニット２の背面側に配置されている。
【００４４】
フィルタ収容箱６８は、外部空気を内部に吸い込む吸込口６８ａ，６９Ｙ〜６９Ｋ、及び内部空気を外部に吐き出す吐出口６８ｂを有し、床面ＦＬ上にキャスタＣ，Ｃ，…を介して移動可能に配置されている。吸込口６８ａ，６９Ｙ〜６９Ｋはフィルタ収容箱６８の背面側に、吐出口６８ｂはフィルタ収容箱６８の天井面側にそれぞれ開口されている。
【００４５】
フィルタ収容箱７８は、外部空気を内部に吸い込む吸込口７８ａ，７９Ｘ１，７９Ｘ２、及び内部空気を外部に吐き出す吐出口７８ｂを有し、床面ＦＬ上にキャスタＣ，Ｃ，…を介して移動可能に配置されている。吸込口７８ａ，７９Ｘ１，７９Ｘ２はフィルタ収容箱７８の背面側に、吐出口７８ｂはフィルタ収容箱７８の天井面側にそれぞれ開口されている。
【００４６】
次に、本発明の実施の形態に係る画像形成装置における本体ユニットの第１筐体につき、図３〜図５を用いて説明する。図３は第１筐体及びフィルタ収容箱の内部を示す。図４（ａ）及び（ｂ）は第１分岐路を含む本体ユニットの内部とその放熱部を示す。図５は第２分岐路を含む本体ユニットの内部を示す。
【００４７】
図３に示すように、第１筐体２Ｃは、床面ＦＬ上にキャスタＣ，Ｃ，…を介して移動可能に配置され、画像形成部２Ａ及び用紙供給部２Ｂ（共に図１に示す）等を収容するフロント収容部２０Ｃと、冷却用の送風機４８等を収容するリヤ収容部２１Ｃとによって形成されている。
【００４８】
第１筐体２Ｃ内には、画像形成部２Ａの駆動によって発生する廃棄対象物としてのトナークラウドやオゾン（Ｏ３）を廃棄するための廃棄用ダクト５１Ｙ，５１Ｍ，５１Ｃ，５１Ｋ，５１Ｘ１，５１Ｘ２（図６に示す）、及びこれら廃棄用ダクト５１Ｙ〜５１Ｘ２に画像形成部２Ａから向かう空気流を形成するための吸気用ダクト５２Ｙ，５２Ｍ，５２Ｃ，５２Ｋ，５２Ｘ１，５２Ｘ２（図６に示す）がフロント収容部２０Ｃ及びリヤ収容部２１Ｃに跨って配置されている。
【００４９】
フロント収容部２０Ｃは、収容空間２００Ｃを内部に有し、第１筐体２Ｃのフロント側（図３では左側）に配置されている。リア収容部２１Ｃの収容空間２１０Ｃ上部には、画像形成部２Ａの各部を駆動する駆動部としての駆動モータ５３Ｙ〜５５Ｙ，５３Ｍ〜５５Ｍ，５３Ｃ〜５５Ｃ，５３Ｋ〜５５Ｋ，５３Ｘ１〜５５Ｘ１，５３Ｘ２〜５５Ｘ２（図４（ｂ）に駆動モータ５３Ｋ〜５５Ｋのみ示す）が収容されている。駆動モータ５３Ｙ〜５５Ｙ，５３Ｍ〜５５Ｍ，５３Ｃ〜５５Ｃ，５３Ｘ１〜５５Ｘ１，５３Ｘ２〜５５Ｘ２の図示については省略する。
【００５０】
駆動モータ５３Ｙ〜５３Ｘ２は感光体ドラム２０Ｙ〜２０Ｘ２を駆動するモータとして、駆動モータ５４Ｙ〜５４Ｘ２は現像器２３Ｙ〜２３Ｘ２を駆動するモータとして、また駆動モータ５５Ｙ〜５５Ｘ２はドラム清掃装置３１Ｙ〜３１Ｘ２から回収したをトナー回収経路６０まで搬送するための機構を駆動するモータとしてそれぞれ機能する。
【００５１】
リヤ収容部２１Ｃは、収容空間２１０Ｃを内部に有し、第１筐体２Ｃのリヤ側（図３では右側）に配置されている。
【００５２】
リヤ収容部２１Ｃには、フィルタユニット５，６（フィルタユニット６については図２に示す）内に吸い込まれた外部空気を収容空間２１０Ｃに導入する導入口２１１Ｃ、及び駆動モータ５３Ｙ〜５５Ｙ，５３Ｍ〜５５Ｍ，５３Ｃ〜５５Ｃ，５３Ｋ〜５５Ｋ，５３Ｘ１〜５５Ｘ１，５３Ｘ２〜５５Ｘ２で発生する熱と共に内部空気をフィルタ収容箱６８，７８内に導出する導出口５６Ｙ，５６Ｍ，５６Ｃ，５６Ｋ，５６Ｘ１，５６Ｘ２（図３、図４に示す）と、駆動モータ５３Ｙ〜５５Ｙ，５３Ｍ〜５５Ｍ，５３Ｃ〜５５Ｃ，５３Ｋ〜５５Ｋ，５３Ｘ１〜５５Ｘ１，５３Ｘ２〜５５Ｘ２で発生する熱と共に内部空気を第１筐体２Ｃ外に吐き出す上記吐出口５７Ｙ，５７Ｍ，５７Ｃ，５７Ｋ，５７Ｘ１，５７Ｘ２とが設けられている。導入口２１１Ｃは収容空間２１０Ｃの下部に、導出口５６Ｙ〜５６Ｘ２は収容空間２１０Ｃの上部に、また吐出口５７Ｙ〜５７Ｘ２は収容空間２１０Ｃの上方にそれぞれ配置されている。
【００５３】
また、リヤ収容部２１Ｃには、駆動モータ５３Ｙ〜５５Ｙ，５３Ｍ〜５５Ｍ，５３Ｃ〜５５Ｃ，５３Ｋ〜５５Ｋ，５３Ｘ１〜５５Ｘ１，５３Ｘ２〜５５Ｘ２から導出口５６Ｙ，５６Ｍ，５６Ｃ，５６Ｋ，５６Ｘ１，５６Ｘ２を介してフィルタ収容箱６８，７８に送風する放熱用の送風機５８Ｙ，５８Ｍ，５８Ｃ，５８Ｋ，５８Ｘ１，５８Ｘ２（図４（ａ）に示す）が配置されている。これにより、導出口５６Ｙ〜５６Ｘ２からフィルタ収容箱６８，７８に向かう空気流を強制的に形成することができる。
【００５４】
リヤ収容部２１Ｃ内には、導入口２１１Ｃから導出口５６Ｙ〜５６Ｘ２に向かう空気流Ｌを形成するための空気流通路５９が設けられている。
【００５５】
また、リヤ収容部２１Ｃ内には、画像形成部２Ａにおいて画像形成に伴いトナーボトル２９Ｙ〜２９Ｘ２（図４（ａ）に示す）から供給されるＹ〜Ｘ２の各色のトナーのうち感光体ドラム２０Ｙ〜２０Ｘ２及び中間転写ベルト２４に残留するトナーを回収するためのトナー回収経路６０が設けられている。
【００５６】
トナー回収経路６０は、図４（ａ）に示すように、収容空間２１０Ｃを水平に延びる第１水平部６０ａ、この第１水平部６０ａに平行な第２水平部６０ｂと、この第２水平部６０ｂと第１水平部６０ａとの間に介在する垂直部６０ｃと、この垂直部６０ｃに平行して第１水平部６０ａからドラム清掃装置３１Ｙ，３１Ｍ，３１Ｃ，３１Ｋ，３１Ｘ１，３１Ｘ２に至る分岐部６１Ｙ，６１Ｍ，６１Ｃ，６１Ｋ，６１Ｘ１，６１Ｘ２とによって形成されている。
【００５７】
リヤ収容部２１Ｃの収容空間２１０Ｃには、空気流通路５９を第１分岐路５９ａ及び第２分岐路５９ｂ（共に図３に示す）に仕切る仕切壁６２（図３に示す）が配置されている。第１分岐路５９ａには図４（ａ）に示すように発熱部としての電源装置６３が、また第２分岐路５９ｂには図５に示すように複数の発熱部としての回路基板６４，６４…がそれぞれ配置されている。
【００５８】
また、リヤ収容部２１Ｃの収容空間２１０Ｃには、空気流Ｌ（図３に示す）の方向に送風してトナー回収経路６０における垂直部６０ｃと水平部６０ａ、６０ｂ（共に図４（ａ）に示す）を冷却する冷却用の送風機４８が配置されている。これにより、トナー回収経路６０を冷却することができるとともに、導入口２１１Ｃから導出口５６Ｙ〜５６Ｘ２に向かう空気流Ｌを強制的に、又は自然対流で発生したものをよりアシストするように形成することができる。
【００５９】
（フィルタユニット５，６の構成）
図６はフィルタユニットを示す。
【００６０】
（フィルタユニット５）
フィルタユニット５は、図６に示すように、廃棄用ダクト５１Ｙ，５１Ｍ，５１Ｃ，５１Ｋに対応して流通する廃棄用配管６６Ｙ，６６Ｍ，６６Ｃ，６６Ｋ、吸気用ダクト５２Ｙ，５２Ｍ，５２Ｃ，５２Ｋに対応して連通する吸気用ダクト６７Ｙ，６７Ｍ，６７Ｃ，６７Ｋ（図３に吸気ダクト６７Ｋのみ図示）、及びこれら吸気用ダクト６７Ｙ〜６７Ｋ，廃棄用配管６６Ｙ〜６６Ｋを収容するフィルタ収容箱６８を有し、本体ユニット２の背面側に配置されている。
【００６１】
廃棄用配管６６Ｙ〜６６Ｋは、それぞれが蛇腹パイプ付きの管部材からなり、フィルタ収容箱６８内の上部に左右方向に並列して配置されている。
【００６２】
吸気用ダクト６７Ｙ〜６７Ｋは、吸込口６９Ｙ，６９Ｍ，６９Ｃ，６９Ｋ（図２に示す）に流通し、廃棄用配管６６Ｙ〜６６Ｋの上方に左右方向に並列して配置されている。
【００６３】
フィルタ収容箱６８は、外部空気を内部に吸い込む上記吸込口６８ａ（図２に示す），６９Ｙ〜６９Ｋ（図２に示す）、内部空気を外部に吐き出す上記吐出口６８ｂ、及び導入口２１１Ｃ（図３に示す）に流通する流通口６８ｃを有する。
【００６４】
フィルタ収容箱６８には、吸気用ダクト５２Ｙ〜５２Ｋ，６７Ｙ〜６７Ｋに流通する流通口７０Ｙ，７０Ｍ，７０Ｃ，７０Ｋと、クラウドフィルタ７３Ｙ，７３Ｍ，７３Ｃ，７３Ｋ及びオゾンフィルタ７５（共に後述）の通過後における内部空気を外部に排出する排出口６８ｄとが設けられている。流通口７０Ｙ〜７０Ｋはフィルタ収容箱６８の上部前面側に、また排出口６８ｄはフィルタ収容箱６８の底面側にそれぞれ開口されている。
【００６５】
フィルタ収容箱６８内には、廃棄用ダクト６６Ｙ，６６Ｍ，６６Ｃ，６６Ｋに流通する空気流通路７１が設けられている。これにより、廃棄用ダクト６６Ｙ〜６６Ｋからの内部空気が空気流通路７１を通過して排出口６８ｄから吐き出される。
【００６６】
空気流通路７１は、廃棄用ダクト６６Ｙ，６６Ｍ，６６Ｃ，６６Ｋに流通する第１垂直部７２Ｙ，７２Ｍ，７２Ｃ，７２Ｋ、排出口６８ｄに流通する第２垂直部７１ａ、及びこの第２垂直部７１ａと第１垂直部７２Ｙ〜７２Ｋとの間に介在する水平部７１ｂによって形成されている。
【００６７】
第１垂直部７２Ｙ〜７２Ｋには、画像形成部２Ａの駆動によって発生する廃棄対象物としてのトナークラウドを捕捉するクラウドフィルタ７３Ｙ，７３Ｍ，７３Ｃ，７３Ｋ、及びこれらクラウドフィルタ７３Ｙ〜７３Ｋから水平部７１ｂに向かう空気流を形成するための送風機７４Ｙ，７４Ｍ，７４Ｃ，７４Ｋが配置されている。
【００６８】
第２垂直部７１ａには、画像形成部２Ａの駆動によって発生する廃棄対象物としてのオゾン（Ｏ３）を捕捉して分解するオゾンフィルタ７５が配置されている。
【００６９】
水平部７１ｂは、第１垂直部７２Ｙ〜７２Ｋ及び第２垂直部７１ａに流通し、第１垂直部７２Ｙ〜７２Ｋから第２垂直部７１ａに内部空気を流動させる中間パイプによって形成されている。
【００７０】
（フィルタユニット６）
一方、フィルタユニット６は、図６に示すように、廃棄用ダクト５１Ｘ１，５１Ｘ２に対応して流通する廃棄用配管７６Ｘ１，７６Ｘ２と、吸気用ダクト５２Ｘ１，５２Ｘ２に対応して流通する吸気用ダクト７７Ｘ１，７７Ｘ２（図示せず）と、これら吸気用ダクト７７Ｘ１，７７Ｘ２及び廃棄用配管７６Ｘ１，７６Ｘ２を収容するフィルタ収容箱７８を有し、フィルタユニット５の側方に並列して本体ユニット２の背面側に配置されている。
【００７１】
廃棄用配管７６Ｘ１，７６Ｘ２は、それぞれが蛇腹パイプ付きの管部材からなり、フィルタ収容箱７８内の上部に左右方向に並列して配置されている。
【００７２】
吸気用ダクト７７Ｘ１，７７Ｘ２（図示せず）は、吸込口７９Ｘ１，７９Ｘ２（図２に示す）に流通し、廃棄用配管７６Ｘ１，７６Ｘ２（図６２に示す）の上方に左右方向に並列して配置されている。
【００７３】
フィルタ収容箱７８は、外部空気を内部に吸い込む上記吸込口７８ａ，７９Ｘ１，７９Ｘ２、内部空気を外部に吐き出す上記吐出口７８ｂ、及び導入口２１１Ｃ（図３に示す）に流通する流通口７８ｃを有する。
【００７４】
フィルタ収容箱７８には、吸気用ダクト５２Ｘ１，５２Ｘ２，７７Ｘ１，７７Ｘ２に流通する流通口８０Ｘ１，８０Ｘ２と、クラウドフィルタ８３Ｘ１，８３Ｘ２及びオゾンフィルタ８５（共に後述）の通過後における内部空気を外部に排出する排出口７８ｄとが設けられている。流通口８０Ｘ１，８０Ｘ２はフィルタ収容箱７８の上部前面側に、また排出口７８ｄはフィルタ収容箱７８の底面側にそれぞれ開口されている。
【００７５】
フィルタ収容箱７８内には、廃棄用ダクト７６Ｘ１，７６Ｘ２に流通する空気流通路８１が設けられている。これにより、廃棄用ダクト７６Ｘ１，７６Ｘ２からの内部空気が空気流通路８１を通過して排出口７８ｄから吐き出される。
【００７６】
空気流通路８１は、廃棄用ダクト７６Ｘ１，７６Ｘ２に流通する第１垂直部８２Ｘ１，８２Ｘ２、排出口７８ｄに流通する第２垂直部８１ａ、及びこの第２垂直部８１ａと第１垂直部８２Ｘ１，８２Ｘ２との間に介在する水平部８１ｂによって形成されている。
【００７７】
第１垂直部８２Ｘ１，８２Ｘ２には、画像形成部２Ａの駆動によって発生する廃棄対象物としてのトナークラウドを捕捉するクラウドフィルタ８３Ｘ１，８３Ｘ２、及びこれらクラウドフィルタ８３Ｘ１，８３Ｘ２から水平部８１ｂに向かう空気流を形成するための送風機８４Ｘ１，８４Ｘ２が配置されている。
【００７８】
第２垂直部８１ａには、画像形成部２Ａの駆動によって発生する廃棄対象物としてのオゾン（Ｏ３）を捕捉して分解するオゾンフィルタ８５が配置されている。
【００７９】
水平部８１ｂは、第１垂直部８２Ｘ１，８２Ｘ２及び第２垂直部８１ａに流通し、第１垂直部８２Ｘ１，８２Ｘ２から第２垂直部８１ａに内部空気を流動させる中間パイプによって形成されている。
【００８０】
（画像形成装置１の動作）
次に、本実施の形態に示す画像形成装置１の動作につき、図１〜図４及び図６を参照して説明する。
【００８１】
図１に示すように、本体ユニット２の用紙供給部２Ｂから用紙Ｐを供給する場合には、用紙スタッカ３５，３５内に積載された用紙Ｐをピックアップロール（図示せず）によって１枚ずつ分離し、捌きロール３６，３６から停止中のレジロール３７，３７に送出する。
【００８２】
次に、レジロール３７，３７に用紙Ｐの先端を突き当て、用紙斜め送りの修正と用紙先端の位置合わせをして用紙Ｐを待機させる。
【００８３】
ここで、給紙ユニット３の用紙供給部３Ａから用紙Ｐを供給する場合には、給紙トレイ３９，３９内に積載された用紙Ｐをピックアップロール（図示せず）によって１枚ずつ分離し、捌きロール４０，４０から停止中のレジロール４１，４１に送出する。
【００８４】
次に、レジロール４１，４１に用紙Ｐの先端を突き当て、用紙斜め送りの修正と用紙先端の位置合わせをして用紙Ｐを待機させる。
【００８５】
そして、画像形成部２Ａにおける画像形成のタイミングに同期してレジロール３７，３７又はレジロール４１，４１を回転させて二次転写装置２８に用紙Ｐを給紙し、感光体ドラム２０Ｙ，２０Ｍ，２０Ｃ，２０Ｋ，２０Ｘ１，２０Ｘ２上に形成されたトナー像を一次転写装置２５Ｙ，２５Ｍ，２５Ｃ，２５Ｋ，２５Ｘ１，２５Ｘ２で中間転写ベルト２４に一次転写した後、二次転写装置２８における支持ロール２７Ｄの位置に給紙された用紙Ｐにトナー像を二次転写する。
【００８６】
この際、図２に示すように、フィルタ収容箱６８，７８外の外部空気が吸込口６８ａ，７８ａからフィルタ収容箱６８，７８内に吸い込まれる。フィルタ収容箱６８，７８内に吸い込まれた外部空気は、図３に示すように、流通口６８ｃを通り、本体ユニット２の空気流通路５９に導入口２１１Ｃから導入され、空気流通路５９の第１分岐路５９ａ，第２分岐路５９ｂを内部空気として流動し電源装置６３及び回路基板６４，６４，…を冷却する。そして、図３及び図６に示すように、第１筐体２Ｃの導出口５６Ｙ，５６Ｍ，５６Ｃ，５６Ｋ，５６Ｘ１，５６Ｘ２からフィルタ収容箱６８，７８内に導出され、フィルタ収容箱６８，７８の吐出口６８ｂ，７８ｂからフィルタ収容箱６８，７８外に吐き出される。この場合、空気流通路５９には、図３に示すように、導入口２１１Ｃから導出口５６Ｙ〜５６Ｘ２（導出口５６Ｋのみ図示）に向かう空気流Ｌが形成される。
【００８７】
画像形成時には、本体ユニット２の画像形成部２Ａにおいて駆動モータ５３Ｙ〜５５Ｙ，５３Ｍ〜５５Ｍ，５３Ｃ〜５５Ｃ，５３Ｋ〜５５Ｋ，５３Ｘ１〜５５Ｘ１，５３Ｘ２〜５５Ｘ２で熱が発生し、これら熱が送風機５８Ｙ，５８Ｍ，５８Ｃ，５８Ｋ，５８Ｘ１，５８Ｘ２（図４（ａ）に示す）による送風によって導出口５６Ｙ〜５６Ｘ２（図４（ａ）に示す）を介してフィルタ収容箱６８，７８内に移動し、空気流通路５９に形成された空気流Ｌ（図３に示す）と共に吐出口６８ｂ，７８ｂからフィルタ収容箱６８，７８外に吐き出される。
【００８８】
また、本体ユニット２の画像形成部２Ａにおいては、トナークラウド，オゾン等の廃棄対象物が発生する。廃棄対象物は、フィルタ収容箱６８の吸込口６９Ｙ，６９Ｍ，６９Ｃ，６９Ｋ（図２に示す）から吸気用ダクト６７Ｙ，６７Ｍ，６７Ｃ，６７Ｋ（図３に吸気用ダクト６７Ｋのみ示す）及び吸気用ダクト５２Ｙ，５２Ｍ，５２Ｃ，５２Ｋ内に、またフィルタ収容箱７８の吸込口７９Ｘ１，７９Ｘ２（図２に示す）から吸気用ダクト７７Ｘ１，７７Ｘ２（図示せず）及び吸気用ダクト５２Ｘ１，５２Ｘ２内にそれぞれ吸い込まれた外部空気と共に本体ユニット２の廃棄用ダクト５１Ｙ，５１Ｍ，５１Ｃ，５１Ｋ，５１Ｘ１，５１Ｘ２内を流動する。続いて、フィルタユニット５の廃棄用配管６６Ｙ，６６Ｍ，６６Ｃ，６６Ｋ，フィルタユニット６の廃棄用配管７６Ｘ１，７６Ｘ２内を流動した後、フィルタ収容箱６８内の空気流通路７１及びフィルタ収容箱７８内の空気流通路８１に流入してクラウドフィルタ７３Ｙ，７３Ｍ，７３Ｃ，７３Ｋ，８３Ｘ１，８３Ｘ２でトナークラウドが、またオゾンフィルタ７５，８５でオゾンがそれぞれ捕捉される。
【００８９】
一方、外部空気は、クラウドフィルタ７３Ｙ，７３Ｍ，７３Ｃ，７３Ｋ，８３Ｘ１，８３Ｘ２を、さらにはオゾンフィルタ７５，８５を内部空気として通過し、フィルタ収容箱６８の排出口６８ｄ及びフィルタ収容箱７８の排出口７８ｄからフィルタ収容箱６８，７８外に排出される。
【００９０】
この後、画像形成装置１では、定着ユニット４の定着部４Ａで用紙Ｐにトナー像を定着してから、冷却部４Ｂで用紙Ｐを冷却して排出ロール４７，４７で定着ユニット４外に排出する。
【００９１】
以上、本発明の画像形成装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００９２】
（１）上記の実施の形態では、２つのフィルタユニット５，６を備えた場合について説明したが、本発明はこれに限定されず、単一のフィルタユニットを備えたものでも勿論よい。
【００９３】
（２）上記の実施の形態では、プリンタに適用する場合について説明したが、本発明はこれに限定されず、複写機又はファクシミリに適用しても勿論よく、複写機，プリンタ及びファクシミリ等のうち少なくも２つを組み合わせてなる複合機に適用してもよい。
【００９４】
（３）上記の実施の形態では、画像形成装置１が複数の感光体ドラム２０Ｙ，２０Ｍ，２０Ｃ，２０Ｋ，２０Ｘ１，２０Ｘ２を用いたカラー画像形成装置である場合について説明したが、本発明はこれに限定されず、単一の感光ドラムを用いたモノクロ画像形成装置であってもよい。
【符号の説明】
【００９５】
１…画像形成装置、
２…本体ユニット、２Ａ…画像形成部、２Ｂ…用紙供給部、２Ｃ…第１筐体、２０Ｙ，２０Ｍ，２０Ｃ，２０Ｋ，２０Ｘ１，２０Ｘ２…感光体ドラム、２１Ｙ，２１Ｍ，２１Ｃ，２１Ｋ，２１Ｘ１，２１Ｘ２…帯電器、２２Ｙ，２２Ｍ，２２Ｃ，２２Ｋ，２２Ｘ１，２２Ｘ２…露光器、２３Ｙ，２３Ｍ，２３Ｃ，２３Ｋ，２３Ｘ１，２３Ｘ２…現像器、２４…中間転写ベルト、２５Ｙ，２５Ｍ，２５Ｃ，２５Ｋ，２５Ｘ１，２５Ｘ２…一次転写ベルト、２６…駆動ロール、２７Ａ〜２７Ｄ…支持ロール、２８…二次転写装置、２９Ｙ，２９Ｍ，２９Ｃ，２９Ｋ，２９Ｘ１，２９Ｘ２…トナーボトル、３０…除電装置、３１…ドラム清掃装置、３２〜３４…搬送ユニット、３５…用紙スタッカ、３６…捌きロール、３７…レジロール、３８…搬送ロール、
３…給紙ユニット、３Ａ…用紙供給部、３Ｂ…第２筐体、３０Ｂ…搬送経路、３９…給紙トレイ、４０…捌きロール、４１…レジロール、
４…定着ユニット、４Ａ…定着部、４２…加熱ロール、４３…加圧ロール、４Ｂ…冷却部、４４，４５…搬送ユニット、４６…冷却器、４７…排出ロール、４Ｃ…第３筐体、４０Ｃ…搬送経路、２０Ｃ…フロント収容部、２００Ｃ…収容空間、２１Ｃ…リヤ収容部、２１０Ｃ…収容空間、２１１Ｃ…導入口、４８…送風機、４９…吸込口、５０…吐出口、５１Ｙ，５１Ｍ，５１Ｃ，５１Ｋ，５１Ｘ１，５１Ｘ２…廃棄用ダクト、５２Ｙ，５２Ｍ，５２Ｃ，５２Ｋ，５２Ｘ１，５２Ｘ２…吸気用ダクト、５３Ｙ〜５５Ｙ，５３Ｍ〜５５Ｍ，５３Ｃ〜５３Ｃ，５３Ｋ〜５５Ｋ，５３Ｘ１〜５５Ｘ１，５３Ｘ２〜５５Ｘ２…駆動モータ、５６Ｙ，５６Ｍ，５６Ｃ，５６Ｋ，５６Ｘ１，５６Ｘ２…導出口、５７Ｙ，５７Ｍ，５７Ｃ，５７Ｋ，５７Ｘ１，５７Ｘ２…吐出口、５８Ｙ，５８Ｍ，５８Ｃ，５８Ｋ，５８Ｘ１，５８Ｘ２…送風機、５９…空気流通路、５９ａ…第１分岐路、５９ｂ…第２分岐路、６０…トナー回収経路、６０ａ…第１水平部、６０ｂ…第２水平部、６０ｃ…垂直部、６１Ｙ，６１Ｍ，６１Ｃ，６１Ｋ，６１Ｘ１，６１Ｘ２…分岐部、６２…仕切壁、６３…電源装置、６４…回路基板、
５…フィルタユニット、６６Ｙ，６６Ｍ，６６Ｃ，６６Ｋ，６６Ｘ１，６６Ｘ２…廃棄用配管、６７Ｙ，６７Ｍ，６７Ｃ，６７Ｋ…吸気用ダクト、６８…フィルタ収容箱、６８ａ…吸込口、６８ｂ…吐出口、６８ｃ…流通口、６８ｄ…排出口、６９Ｙ，６９Ｍ，６９Ｃ，６９Ｋ…吸込口、７０Ｙ，７０Ｍ，７０Ｃ，７０Ｋ…吸気用ダクト、７１…空気流通路、７２Ｙ，７２Ｍ，７２Ｃ，７２Ｋ…第１垂直部、７１ａ…第２垂直部、７１ｂ…水平部、７３Ｙ，７３Ｍ，７３Ｃ，７３Ｋ…クラウドフィルタ、７４Ｙ，７４Ｍ，７４Ｃ，７４Ｋ…送風機、７５…オゾンフィルタ、
６…フィルタユニット、７６Ｘ１，７６Ｘ２…廃棄用配管、７８…フィルタ収容箱、７８ａ…吸込口、７８ｂ…吐出口、７８ｃ…流通口、７８ｄ…排出口、８０Ｘ１，８０Ｘ２…流通口、８１…空気流通路、８２Ｘ１，８２Ｘ２…第１垂直部、８１ａ…第２垂直部、８１ｂ…水平部、８３Ｘ１，８３Ｘ２…クラウドフィルタ、８４Ｘ１，８４Ｘ２…送風機、８５…オゾンフィルタ、
Ｃ…キャスタ、ＦＬ…床面、Ｐ…用紙
【図１】
2011107480.tif 000003
【図２】
2011107480.tif 000004
【図３】
2011107480.tif 000005
【図４】
2011107480.tif 000006
【図５】
2011107480.tif 000007
【図６】
2011107480.tif 000008